(57)【要約】【課題】【解決手段】この媒体搬送装置は、媒体印字面裏側を駆動し、搬送する媒体が突入する際に搬送速度を可変するフィードローラ３，４と、媒体印刷面上のフォーマットを読みとるイメージリード機構であるスキャナ１７と、媒体上にデータを印字後スキャナ１７で読み取ったフォーマットとデータとを他の媒体上に印字するインクジェット方式の印字部３４と、装置開閉機構と連動してクランプ／アンクランプ動作をするプレッシャローラ５，６とを備える。【選択図】      図１
2004306355.tif 000002
【特許請求の範囲】
【請求項１】
印字部前後に設置され媒体印字面裏側を駆動するフィードローラを備えることを特徴とする媒体搬送装置。
【請求項２】
搬送する媒体が突入する際に搬送速度を可変するフィードローラを備えることを特徴とする媒体搬送装置。
【請求項３】
媒体印刷面上のフォーマットを読みとるイメージリード機構と、前記媒体上にデータを印字後前記イメージリード機構で読み取った前記フォーマットと前記データとを他の媒体上に印字する印字部を備えることを特徴とする媒体搬送装置。
【請求項４】
装置開閉機構と連動してクランプ／アンクランプ動作をするプレッシャローラを備えることを特徴とする媒体搬送装置。
【請求項５】
印字部前後に設置され媒体印字面裏側を駆動し、搬送する前記媒体が突入する際に搬送速度を可変するフィードローラを備えることを特徴とする媒体搬送装置。
【請求項６】
印字部前後に設置され媒体印字面裏側を駆動するフィードローラと、前記媒体印刷面上のフォーマットを読みとるイメージリード機構と、前記媒体上にデータを印字後前記イメージリード機構で読み取った前記フォーマットと前記データとを他の媒体上に印字する印字部とを備えることを特徴とする媒体搬送装置。
【請求項７】
印字部前後に設置され媒体印字面裏側を駆動するフィードローラと、装置開閉機構と連動してクランプ／アンクランプ動作をするプレッシャローラとを備えることを特徴とする媒体搬送装置。
【請求項８】
搬送する媒体が突入する際に搬送速度を可変するフィードローラと、前記媒体印刷面上のフォーマットを読みとるイメージリード機構と、前記媒体上にデータを印字後前記イメージリード機構で読み取った前記フォーマットと前記データとを他の媒体上に印字する印字部とを備えることを特徴とする媒体搬送装置。
【請求項９】
搬送する媒体が突入する際に搬送速度を可変するフィードローラと、装置開閉機構と連動してクランプ／アンクランプ動作をするプレッシャローラとを備えることを特徴とする媒体搬送装置。
【請求項１０】
媒体印刷面上のフォーマットを読みとるイメージリード機構と、前記媒体上にデータを印字後前記イメージリード機構で読み取った前記フォーマットと前記データとを他の媒体上に印字する印字部と、装置開閉機構と連動してクランプ／アンクランプ動作をするプレッシャローラとを備えることを特徴とする媒体搬送装置。
【請求項１１】
印字部前後に設置され媒体印字面裏側を駆動するフィードローラと、搬送する前記媒体が突入する際に搬送速度を可変するフィードローラと、前記媒体印刷面上のフォーマットを読みとるイメージリード機構と、前記媒体上にデータを印字後前記イメージリード機構で読み取った前記フォーマットと前記データとを他の媒体上に印字する印字部とを備えることを特徴とする媒体搬送装置。
【請求項１２】
印字部前後に設置され媒体印字面裏側を駆動するフィードローラと、搬送する前記媒体が突入する際に搬送速度を可変するフィードローラと、装置開閉機構と連動してクランプ／アンクランプ動作をするプレッシャローラとを備えることを特徴とする媒体搬送装置。
【請求項１３】
印字部前後に設置され媒体印字面裏側を駆動するフィードローラと、前記媒体印刷面上のフォーマットを読みとるイメージリード機構と、前記媒体上にデータを印字後前記イメージリード機構で読み取った前記フォーマットと前記データとを他の媒体上に印字する印字部と、装置開閉機構と連動してクランプ／アンクランプ動作をするプレッシャローラとを備えることを特徴とする媒体搬送装置。
【請求項１４】
搬送する媒体が突入する際に搬送速度を可変するフィードローラと、前記媒体印刷面上のフォーマットを読みとるイメージリード機構と、前記媒体上にデータを印字後前記イメージリード機構で読み取った前記フォーマットと前記データとを他の媒体上に印字する印字部と、装置開閉機構と連動してクランプ／アンクランプ動作をするプレッシャローラとを備えることを特徴とする媒体搬送装置。
【請求項１５】
印字部前後に設置され媒体印字面裏側を駆動するフィードローラと、搬送する前記媒体が突入する際に搬送速度を可変するフィードローラと、前記媒体印刷面上のフォーマットを読みとるイメージリード機構と、前記媒体上にデータを印字後前記イメージリード機構で読み取った前記フォーマットと前記データとを他の媒体上に印字する印字部と、装置開閉機構と連動してクランプ／アンクランプ動作をするプレッシャローラとを備えることを特徴とする媒体搬送装置。
【請求項１６】
前記印字部がインクジェット方式の印字部であることを特徴とする請求項１〜１５のいずれか１項記載の媒体搬送装置。
【発明の詳細な説明】
【０００１】
【発明の属する技術分野】
本発明は媒体搬送装置に関し、特に、媒体印字面裏側を駆動し、搬送する媒体が突入する際に搬送速度を可変するフィードローラと、媒体印刷面上のフォーマットを読みとるイメージリード機構と、媒体上にデータを印字後イメージリード機構で読み取ったフォーマットとデータとを他の媒体上に印字するインクジェット方式の印字部と、装置開閉機構と連動してクランプ／アンクランプ動作をするプレッシャローラとを備えることを特徴とする媒体搬送装置に関する。
【０００２】
【従来の技術】
印字部にインクジェット方式を使用した場合、従来のような搬送路上側（印字面）にフィードローラを実装すると、印字面が汚れてしまう。インクジェット方式のインクは印字後、乾くのに時間がかかるからである。また、フィードローラは通常、弾性体（ゴム）で形成されている。そのため、印刷面をゴムローラが通過すると、インクがゴムに転写し、ゴムに転写したインクが再び印刷面に転写してしまい、印字面を汚す。上述の問題の対策として、フィードローラをインクの転写しないローラにすると、装置の価格が高くなってしまう。インクが転写しないようにするためには、ローラ表面が撥水性ローラを使用しなければならないからである（例えば、特許文献１参照）。
【０００３】
印字面を汚さないためにフィードローラを下駆動にした場合、通帳等のパスブックを搬送する際に印字面と表紙がずれる現象が発生する。搬送路上側は駆動しないプレッシャローラのため、ピンチローラに媒体が突入すると、突入した際の衝撃で印字面側が一瞬の間停止し、表紙側を駆動しているため、媒体の下面と上面に速度差が発生するので、印字面と表紙とがずれる現象が発生する（例えば、特許文献２参照）。
【０００４】
印字部にインクジェット方式を使用したプリンタでは複写用紙を使用することができない。複写用紙はインパクトドットプリンタ等インパクトにより転写を行っているため、複写用紙にインパクトを与えないインクジェットプリンタに於いては、複写用紙の転写を行うことができない（例えば、特許文献２参照）。
【０００５】
安価なプリンタ等で採用している搬送路のジャム除去方式において、搬送路を開閉しない方式は、ジャム除去の作業性が悪い。通常は搬送ユニットの上側と下側を一体構造とした場合、フィードローラにノブを取付け、ノブを回転させることにより、ジャム除去を行っているが、駆動系および駆動系につながるモータまで回さなければならず、操作が重くなってしまう（例えば、特許文献２参照）。
【０００６】
【特許文献１】
特許第３０２０９６５号（第５−１０頁、図１）
【特許文献２】
特開平６−３２０８３２号公報（第２−６頁、図１〜１１）
【０００７】
【発明が解決しようとする課題】
この従来の媒体搬送装置における第１の問題点は、フィードローラに転写してしまい、印刷面を汚してしまう、ということである。その理由は、インクジェット方式を使用する場合、インクがすぐに乾かないので、印刷面側にフィードローラがあると、フィードローラにインクが転写してしまい、このインクが再び印刷面に転写してしまうことにある。
【０００８】
第２の問題点は、通帳等のパスブックを搬送する場合、用紙の上側と下側とがずれる、ということである。その理由は、フィードローラへのインク転写を防止するためにフィードローラを媒体搬送路下側に実装していることにある。
【０００９】
第３の問題点は、印字部にインクジェット方式を採用すると、従来のドットインパクトプリンタで行っていた複写用紙への印字が行えない、ということである。
【００１０】
第４の問題点は、ジャム媒体除去の作業性が悪い、ということである。
【００１１】
本発明の目的は、媒体印字面裏側を駆動し、搬送する媒体が突入する際に搬送速度を可変するフィードローラと、媒体印刷面上のフォーマットを読みとるイメージリード機構と、媒体上にデータを印字後イメージリード機構で読み取ったフォーマットとデータとを他の媒体上に印字するインクジェット方式の印字部と、装置開閉機構と連動してクランプ／アンクランプ動作をするプレッシャローラとを備える媒体搬送装置を提供することにある。
【００１２】
【課題を解決するための手段】
本発明の媒体搬送装置は、印字部前後に設置され媒体印字面裏側を駆動するフィードローラを備える。
【００１３】
また、本発明の媒体搬送装置は、搬送する媒体が突入する際に搬送速度を可変するフィードローラを備える。
【００１４】
さらに、本発明の媒体搬送装置は、媒体印刷面上のフォーマットを読みとるイメージリード機構と、前記媒体上にデータを印字後前記イメージリード機構で読み取った前記フォーマットと前記データとを他の媒体上に印字する印字部を備える。
【００１５】
さらに、本発明の媒体搬送装置は、装置開閉機構と連動してクランプ／アンクランプ動作をするプレッシャローラを備える。
【００１６】
さらに、本発明の媒体搬送装置は、印字部前後に設置され媒体印字面裏側を駆動し、搬送する前記媒体が突入する際に搬送速度を可変するフィードローラを備える。
【００１７】
さらに、本発明の媒体搬送装置は、印字部前後に設置され媒体印字面裏側を駆動するフィードローラと、前記媒体印刷面上のフォーマットを読みとるイメージリード機構と、前記媒体上にデータを印字後前記イメージリード機構で読み取った前記フォーマットと前記データとを他の媒体上に印字する印字部とを備える。
【００１８】
さらに、本発明の媒体搬送装置は、印字部前後に設置され媒体印字面裏側を駆動するフィードローラと、装置開閉機構と連動してクランプ／アンクランプ動作をするプレッシャローラとを備える。
【００１９】
さらに、本発明の媒体搬送装置は、搬送する媒体が突入する際に搬送速度を可変するフィードローラと、前記媒体印刷面上のフォーマットを読みとるイメージリード機構と、前記媒体上にデータを印字後前記イメージリード機構で読み取った前記フォーマットと前記データとを他の媒体上に印字する印字部とを備える。
【００２０】
さらに、本発明の媒体搬送装置は、搬送する媒体が突入する際に搬送速度を可変するフィードローラと、装置開閉機構と連動してクランプ／アンクランプ動作をするプレッシャローラとを備える。
【００２１】
さらに、本発明の媒体搬送装置は、媒体印刷面上のフォーマットを読みとるイメージリード機構と、前記媒体上にデータを印字後前記イメージリード機構で読み取った前記フォーマットと前記データとを他の媒体上に印字する印字部と、装置開閉機構と連動してクランプ／アンクランプ動作をするプレッシャローラとを備える。
【００２２】
さらに、本発明の媒体搬送装置は、印字部前後に設置され媒体印字面裏側を駆動するフィードローラと、搬送する前記媒体が突入する際に搬送速度を可変するフィードローラと、前記媒体印刷面上のフォーマットを読みとるイメージリード機構と、前記媒体上にデータを印字後前記イメージリード機構で読み取った前記フォーマットと前記データとを他の媒体上に印字する印字部とを備える。
【００２３】
さらに、本発明の媒体搬送装置は、印字部前後に設置され媒体印字面裏側を駆動するフィードローラと、搬送する前記媒体が突入する際に搬送速度を可変するフィードローラと、装置開閉機構と連動してクランプ／アンクランプ動作をするプレッシャローラとを備える。
【００２４】
さらに、本発明の媒体搬送装置は、印字部前後に設置され媒体印字面裏側を駆動するフィードローラと、前記媒体印刷面上のフォーマットを読みとるイメージリード機構と、前記媒体上にデータを印字後前記イメージリード機構で読み取った前記フォーマットと前記データとを他の媒体上に印字する印字部と、装置開閉機構と連動してクランプ／アンクランプ動作をするプレッシャローラとを備える。
【００２５】
さらに、本発明の媒体搬送装置は、搬送する媒体が突入する際に搬送速度を可変するフィードローラと、前記媒体印刷面上のフォーマットを読みとるイメージリード機構と、前記媒体上にデータを印字後前記イメージリード機構で読み取った前記フォーマットと前記データとを他の媒体上に印字する印字部と、装置開閉機構と連動してクランプ／アンクランプ動作をするプレッシャローラとを備える。
【００２６】
さらに、本発明の媒体搬送装置は、印字部前後に設置され媒体印字面裏側を駆動するフィードローラと、搬送する前記媒体が突入する際に搬送速度を可変するフィードローラと、前記媒体印刷面上のフォーマットを読みとるイメージリード機構と、前記媒体上にデータを印字後前記イメージリード機構で読み取った前記フォーマットと前記データとを他の媒体上に印字する印字部と、装置開閉機構と連動してクランプ／アンクランプ動作をするプレッシャローラとを備える。
【００２７】
さらに、本発明の媒体搬送装置は、前記印字部がインクジェット方式の印字部であることを特徴とする。
【００２８】
【発明の実施の形態】
次に、本発明の実施の形態について図面を参照して詳細に説明する。図１は本発明の一実施の形態の構成を示すブロック図であり、図２はこの実施の形態におけるジャム時の媒体取り出し状態を示す図であり、図３はこの実施の形態における複写伝票の扱い方の概要を示す図である。
【００２９】
図１を参照すると、この実施の形態の媒体搬送装置において、プリンタユニット１にはインクジェットヘッド２を備え、プリンタユニット１前後の搬送路３１にはフィードローラ３，４を備える。フィードローラ３，４に対向する位置にはプレッシャローラ５，６を備える。プレッシャローラ５，６はスプリングでフィードローラ３，４側に付勢される。プレッシャローラ５，６はインクが転写しないようにプラスチックにシボ加工を施し印字面に点接触する構成とする。プリンタユニット１の手前には搬送する媒体の先端を検知するセンサ７を備える。
【００３０】
図２を参照すると、搬送路３２のジャム時開閉は、アッパユニット８とロアユニット９を分離／合体することにより実施される。アッパユニット８は軸１０を中心に開閉し、ロック機構１１によりロアユニット９と分離／合体する。また、ロック機構１１にはアッパユニット８とロアユニット９の分離／合体を検知するセンサ１２を備える。
【００３１】
搬送路３３の開閉しないフィードローラ１３に対向するプレッシャローラ１４は、フィードローラ１３に付勢されると共に、ソレノイド１５により上下動作を行い、クランプ／アンクランプを行う。
【００３２】
図１及び図３を参照すると、プリンタユニット１の媒体挿入口１６には印字面のフォーマットを読みとるスキャナ１７が実装されている。プリンタユニット１の下部には伝票を繰り出す繰り出し機構部１８を備える。繰り出し機構１８は繰り出しローラ１９と繰り出しローラ１９に対向する剥離ローラ２０を備え、繰り出しローラ１９はモータ２１により駆動し、剥離ローラ２０はワンウェイクラッチにより繰り出し方向と逆方向に自由回転する。
【００３３】
繰り出し機構１８にはＡ４用紙トレー２２、Ｂ６用紙トレー２３等の２種類以上トレーを実装し、取り扱う媒体の大きさにより、繰り出す媒体を使い分ける。
【００３４】
次に、この実施の形態における複写伝票の扱い方を、図３を参照して説明する。
【００３５】
通常のドットインパクトプリンタにおける複写伝票印字は、数枚綴りの複写用紙を印字し、インパクト力により転写を行うが、本発明の複写伝票の運用は、インクジェットプリンタを使用し、伝票は１枚綴りの単票を使用する。
【００３６】
媒体挿入口１６にセットした媒体２４の印字面のフォーマットをスキャナ１７により読みとる。媒体２４の吸入を開始し、プリンタユニット１で印字データを媒体２４に印字する。次に印字した媒体２４を排出すると同時に繰り出し機構１８から白紙の媒体２５を繰り出し、印字部３４まで搬送する。図１においては、例として、白紙の媒体２５を保存するＡ４用紙トレイ２２及びＢ６用紙トレイ２３を設置した繰り出し機構１８を示してあるが、用紙の大きさは任意に選択することができる。
【００３７】
印字部３４では媒体２４に印字した内容を媒体２５に印字すると同時にスキャナ１７で読みとった媒体２４の印字面のデータを媒体２５に印字する。
【００３８】
この動作を複写用紙の枚数分実施することで、ドットインパクトプリンタと同様の複写伝票印字の運用が可能となる。
【００３９】
次に、図１を参照して、この実施の形態におけるパスブック２６の搬送について説明する。
【００４０】
媒体挿入口２７から吸入したパスブック２６をプリンタユニット１に搬送する際に、センサ７でパスブック２６先端を検知しフィードローラ３の手前で搬送速度を減速する。フィードローラ３とプレッシャローラ５にクランプされた後は、再び通常の搬送速度に加速する。センサ７で常にパスブック２６の先端および後端位置を管理して、先端および後端がフィードローラ３，４に突入する際は搬送速度を減速する。本発明においては通常の搬送速度を４００ｍｍ／ｓ、減速後の速度を１００ｍｍ／ｓとする。
【００４１】
次に、図２を参照して、この実施の形態におけるジャム除去時の動作について説明する。
【００４２】
アッパユニット８のロック機構１１を外すとセンサ１２がアッパユニット８の開状態を検知し、ソレノイド１５が駆動し、フィードローラ３，４及び１３をアンクランプする。
【００４３】
搬送路３２に媒体２８が残留している場合、アッパユニット８、ロアユニット９を開くことにより、除去することができる。
【００４４】
アッパユニット８のフィードローラ１３部分の搬送路３３内に残留した媒体２９は、アッパユニット８の開動作およびソレノイド１５を駆動させることによるアンクランプ動作で自由落下する。
【００４５】
プリンタユニット１のフィードローラ４部分に残留した媒体３０は、アンクランプ動作により、媒体３０を手で引き抜くことによりジャム除去が可能となる。
【００４６】
本発明の実施の形態では、繰り出し機構１８の実装位置をプリンタユニット１の下部であるロアユニット９を実装したが、それ以外にプリンタユニット１の後部、またはプリンタユニット１の上部に実装することも可能である。
【００４７】
本発明の実施の形態における減速処理は、フィードローラ３，４が下側に実装されたレイアウトに限定されるものではない。
【００４８】
本発明の実施の形態におけるフィードローラ３，４およびプレッシャローラ５，６の外径は１５〜２０ｍｍとしているが、外径を大きく（３０ｍｍ）することにより、フィードローラ３，４衝突時の力が緩和され、搬送速度を大きく減速しなくとも良くなる。
【００４９】
本発明の実施の形態におけるジャム除去方式においては、プレッシャローラ５，６のクランプ／アンクランプをモータの駆動で実現しているが、手動のレバー等でプレッシャローラ５，６をクランプ／アンクランプすることも可能である。
【００５０】
【発明の効果】
以上説明したように、本発明によれば、印刷面側にフィードローラを実装しないで搬送路下側にフィードローラを実装することによりローラへの転写を防止する効果がある。また、フィードローラに対向するプレッシャローラはインクを転写しないようにプラスチックにシボ加工を施し、印字面に点接触する構成とすることにより、インクジェットプリンタ等のインクの転写が発生するプリンタにおいても、搬送機構部のフィードローラに安価な弾性部材のローラを使用することが可能となる。
【００５１】
印字部（インクジェットヘッド）手前にはセンサを実装し、このセンサにより搬送中の媒体先端を検知することにより、媒体先端がフィードローラ位置に搬送される直前に、搬送速度を低下させ、フィードローラとプレッシャローラ間への突入を緩和することにより、フィードローラを搬送路下側に実装した場合においても、パスブック搬送中のときでも用紙の上側と下側がずれることはない。
【００５２】
イメージスキャナユニット、ＣＣＤカメラ等を使用して、プリンタユニットが用紙を吸入する前に、印刷する用紙のフォーマットを読みとり、吸入した用紙を印字した後に、装置に実装された用紙収納部から用紙を繰り出し、繰り出した用紙を印字部間に搬送して、吸入時読み取った用紙のフォーマットを印字することで、インクジェットプリンタにより、従来のドットインパクトプリンタで行っていた複写用紙印字と同等の機能を実現する。
【００５３】
プリンタユニットの開閉する箇所を最低限にし、搬送ローラの開閉しない箇所はプリンタユニットで使用する媒体よりも短く構成することにより、媒体が搬送路の開閉しない箇所で停止した場合においても、媒体の先端もしくは後端がつかめるようにし、また搬送路のプレッシャローラはアクチェータ等によりクランプ／アンクランプできる機構とし、開閉箇所に実装したセンサにより、プレッシャローラのクランプ／アンクランプを実施することにより、開閉構造の簡素で安価な、ジャム除去の操作性に優れたプリンタユニットを実現できる。
【図面の簡単な説明】
【図１】本発明の一実施の形態の構成を示すブロック図である。
【図２】この実施の形態におけるジャム時の媒体取り出し状態を示す図である。
【図３】この実施の形態における複写伝票の扱い方の概要を示す図である。
【符号の説明】
１    プリンタユニット
２    インクジェットヘッド
３，４    フィードローラ
５，６    プレッシャローラ
７    センサ
８    アッパユニット
９    ロアユニット
１０    軸
１１    ロック機構
１２    センサ
１３    フィードローラ
１４    プレッシャローラ
１５    ソレノイド
１６    媒体挿入口
１７    スキャナ
１８    繰り出し機構
１９    繰り出しローラ
２０    剥離ローラ
２１    モータ
２２    Ａ４用紙トレイ
２３    Ｂ６用紙トレイ
２４，２５    媒体
２６    パスブック
２７    媒体挿入口
２８，２９，３０    媒体
３１，３２，３３    搬送路
３４    印字部
【図１】
2004306355.tif 000003
【図２】
2004306355.tif 000004
【図３】
2004306355.tif 000005